(57)【特許請求の範囲】
【請求項１】
画像データの色調を調整する際に参照される複数の調整パラメータを設定するパラメータ設定手段と、
前記パラメータ設定手段により設定された前記調整パラメータの設定順番によらず常に同じ所定の処理手順に従い、設定された前記調整パラメータに基づく前記画像データの処理を行うものであって、かつ第１の色空間における前記画像データの処理をした後に前記第１の色空間とは異なる第２の色空間における前記画像データの処理を行うことにより前記色調の調整を行う色調調整手段と、
前記パラメータ設定手段により設定された複数の調整パラメータの少なくとも１つを更新するパラメータ更新手段と、
前記色調調整手段による前記第１の色空間における処理が行われる前の前記画像データをコピーすることによりコピー画像データを生成する画像データコピー手段とを有し、
前記色調調整手段は、前記パラメータ更新手段により前記調整パラメータの更新が行われた場合に更新後の前記調整パラメータを含む前記複数の調整パラメータに基づいて前記コピー画像データを処理することにより、前記色調調整手段による前回の処理によって得られた処理済画像データに代えて新たな処理済画像データを生成することを特徴とするカラー画像処理装置。
【請求項２】
請求項１に記載のカラー画像処理装置において、
前記パラメータ設定手段により設定された前記調整パラメータを記録する第１記録装置を更に有し、
前記パラメータ更新手段は、前記第１記録装置に記録された前記調整パラメータを更新することを特徴とするカラー画像処理装置。
【請求項３】
請求項２に記載のカラー画像処理装置において、
前記パラメータ設定手段により設定された前記調整パラメータを一括して記録または読み出し可能な第２記録装置をさらに有することを特徴とするカラー画像処理装置。
【請求項４】
請求項１〜３のいずれか１項に記載のカラー画像処理装置において、
前記色調調整手段は、ひとつの色空間内における前記画像データの処理の種類数が複数の場合、前記画像データの処理を常に同じ所定の順番に従って行うことを特徴とするカラー画像処理装置。
【請求項５】
請求項１に記載のカラー画像処理装置において、
前記色調調整手段は、前記第１の色空間と前記第２の色空間のいずれか一方の色空間でカラーバランス処理を行い、他方の色空間で彩度補正処理と色相補正処理の少なくとも一方の処理を行うことを特徴とするカラー画像処理装置。
【請求項６】
請求項５に記載のカラー画像処理装置において、
前記色調調整手段は、前記一方の色空間で明度補正処理を行うことを特徴とするカラー画像処理装置。
【請求項７】
請求項１に記載のカラー画像処理装置において、
前記色調調整手段は、前記第１の色空間における前記画像データを前記第２の色空間における前記画像データに変換すると同時にガンマ補正処理を行うことを特徴とするカラー画像処理装置。
【請求項８】
請求項１に記載のカラー画像処理装置において、
前記色調調整手段により調整された前記画像データの画像を表示装置に表示させる表示制御手段を更に有することを特徴とするカラー画像処理装置。
【請求項９】
請求項８に記載のカラー画像処理装置において、
前記表示制御手段は、前記色調調整手段により調整された前記画像データを前記表示装置用の色空間の画像データに変換する変換手段を含むことを特徴とするカラー画像処理装置。
【請求項１０】
請求項１に記載のカラー画像処理装置において、
画像の印刷を指示する印刷指示手段と、
前記印刷指示手段の指示に基づいて前記色調調整手段により色調の調整が行われた後の前記画像データに対応する画像を印刷装置に印刷させる印刷制御手段とを更に有することを特徴とするカラー画像処理装置。
【請求項１１】
画像データを入力する処理と、
前記画像データの色調を調整する際に参照する複数の調整パラメータを設定するパラメータ設定処理と、
前記複数の調整パラメータの設定順番によらず前記調整パラメータに基づいて第１の色空間において前記画像データの第１色調調整を行う第１の色調調整処理と、
前記第１の色調調整処理の後に複数の調整パラメータの設定順番によらず前記調整パラメータに基づいて前記第１の色空間とは異なる第２の色空間において前記画像データの第２色調調整を行う第２の色調調整処理と、
前記第１の色空間における前記第１の色調調整処理を行う前の前記画像データをコピーすることによりコピー画像データを生成する画像データコピー処理と、
前記パラメータ設定処理で設定した複数の調整パラメータの少なくとも１つを更新するパラメータ更新処理と、
をコンピュータ装置に実行させるカラー画像処理プログラムを記録したコンピュータ読み取り可能な記録媒体であって、
前記第１の色調調整処理および前記第２の色調調整処理は、前記パラメータ更新した場合に該更新処理後の前記調整パラメータを含む前記複数の調整パラメータに基づいて前記コピー画像データを色調調整処理することにより、前回の色調調整処理によって得られた処理済画像データに代えて新たな処理済画像データを生成することを特徴とするコンピュータ読み取り可能な記録媒体。
【請求項１２】
請求項１１に記載のコンピュータ読み取り可能な記録媒体において、
前記パラメータ設定処理で設定した前記調整パラメータを記録する第１の記録処理を更に実行させ、
前記パラメータ更新処理は、前記第１の記録処理で記録した前記調整パラメータを更新することを特徴とするコンピュータ読み取り可能な記録媒体。
【請求項１３】
請求項１２に記載のコンピュータ読み取り可能な記録媒体において、
前記パラメータ設定処理により設定した前記調整パラメータを一括して記録する第２の記録処理または一括して読み出す読み出し処理をさらに実行させることを特徴とするコンピュータ読み取り可能な記録媒体。
【請求項１４】
請求項１１〜１３のいずれか１項に記載のコンピュータ読み取り可能な記録媒体において、
前記第１の色調調整処理および前記第２の色調調整処理は、色調調整処理の種類数が複数の場合、前記色調調整処理を常に同じ所定の順番に従って行うことを特徴とするコンピュータ読み取り可能な記録媒体。
【請求項１５】
請求項１１に記載のコンピュータ読み取り可能な記録媒体において、
前記第１の色調調整処理および前記第２の色調調整処理のいずれか一方の色調調整処理でカラーバランス処理を行い、他方の色調調整処理で彩度補正処理と色相補正処理の少なくとも一方の処理を行うことを特徴とするコンピュータ読み取り可能な記録媒体。
【請求項１６】
請求項１５に記載のコンピュータ読み取り可能な記録媒体において、
前記第１の色調調整処理および前記第２の色調調整処理の一方の色調調整処理で明度補正処理を行うことを特徴とするコンピュータ読み取り可能な記録媒体。
【請求項１７】
請求項１１に記載のコンピュータ読み取り可能な記録媒体において、
前記第２の色調調整処理は、前記第１の色空間における前記画像データを前記第２の色空間における前記画像データに変換すると同時にガンマ補正処理を行うことを特徴とするコンピュータ読み取り可能な記録媒体。
【請求項１８】
請求項１１に記載のコンピュータ読み取り可能な記録媒体において、
前記第１および第２の色調調整処理後の前記画像データの画像を表示装置に表示させる表示制御処理を更に実行させることを特徴とするコンピュータ読み取り可能な記録媒体。
【請求項１９】
請求項１８に記載のコンピュータ読み取り可能な記録媒体において、
前記表示制御処理は、前記第１および第２の色調調整処理後の前記画像データを前記表示装置用の色空間の画像データに変換する変換処理を含むことを特徴とするコンピュータ読み取り可能な記録媒体。
【請求項２０】
請求項１１に記載のコンピュータ読み取り可能な記録媒体において、
画像の印刷指示を入力する印刷指示入力処理と、
前記印刷指示に基づいて前記第１および第２の色調調整処理後の前記画像データに対応する画像を印刷装置に印刷させる印刷制御処理とを更に実行させることを特徴とするコンピュータ読み取り可能な記録媒体。
【請求項２１】
請求項１０に記載のカラー画像処理装置において、
前記画像データコピー手段は、前記印刷指示手段の印刷指示に応じて、前記色調調整手段による第１の色空間における処理が行われる前の画像データをコピーすることにより第２コピー画像データを生成し、
前記色調調整手段は、前記調整パラメータの更新が行われた場合に更新後の調整パラメータを含む複数の調整パラメータに基づいて前記第２コピーデータを処理することにより、印刷用画像データを生成し、
前記印刷制御手段は、前記印刷用画像データに対応する画像を印刷装置に印刷させることを特徴とするカラー画像処理装置。
【請求項２２】
請求項２０に記載のコンピュータ読み取り可能な記録媒体において、
前記印刷制御処理は、
前記第１の色空間における処理が行われる前の画像データをコピーすることにより第２コピー画像データを生成する生成処理と、
前記調整パラメータの更新が行われた場合に、前記複数の調整パラメータの設定順番によらず更新後の調整パラメータを含む複数の調整パラメータに基づいて前記第１の色空間において前記第２コピー画像データに前記第１色調調整を行う第３の色調調整処理と、
前記第３の色調調整処理の後に前記複数の調整パラメータの設定順番によらず更新後の該調整パラメータを含む複数の調整パラメータに基づいて前記第２の色空間において前記第２コピー画像データに前記第２色調調整を行う第４の色調調整処理と、
前記第３の色調調整処理および前記第４の色調調整処理後の前記第２コピー画像データに対応する画像を印刷装置に印刷させる印刷処理とを含む、
ことを特徴とするコンピュータ読み取り可能な記録媒体。
【発明の詳細な説明】
【０００１】
【発明の属する技術分野】
本発明は、画像データに対して色調や色ずれの補正を行うカラー画像処理装置およびカラー画像処理プログラムを記録した記録媒体に関する。
【０００２】
【従来の技術】
画像データの色補正が可能なアプリケーションソフトとして、レタッチソフトと呼ばれるものがある。このレタッチソフトは、外部機器からコンピュータ内に入力された写真画像等の画像データに色補正やフィルタリング等の画像処理を施すものである。
【０００３】
上述のレタッチソフトを用いて画像データに色補正を行う場合、オペレータは明度、彩度、色相、カラーバランス、コントラストなどに関する調整パラメータを増減させる。これらの調整パラメータについて、彩度と色相とをひとまとめに、そしてコントラストと明度とをひとまとめに記録および読み出しが可能となっているものがある。この場合、オペレータはコンピュータを操作して外部記憶装置等から所望の画像データを読み出し、次いで保存しておいた調整パラメータを読み出すことにより、いつでも一定の色補正がなされた画像を得ることが可能である。
【０００４】
【発明が解決しようとする課題】
ところが、上述のレタッチソフトでは、上述した調整パラメータの設定順序や外部記憶装置等からの読み出し順序によっては、調整パラメータが同じでも得られる画像の色調が異なる場合があった。これについて図５を参照して説明する。
【０００５】
図５は、Ｒ、Ｇ、Ｂ各２５６階調（０〜２５５）のオリジナル画像データに対して、相異なる二つの補正処理手順で明度、カラーバランスの補正を施す例を示す。すなわち、パターン１の処理手順においてはオリジナル画像データに対して明度補正を、次いでカラーバランス補正を施す例を、パターン２の処理手順においてはオリジナル画像データに対してカラーバランス補正を、次いで明度補正を施す例を示す。パターン１の処理手順およびパターン２の処理手順において明度およびカラーバランスの補正量はそれぞれ同じである。なお、ここでは説明の煩雑化を防ぐため、１ピクセル分のデータを例に説明する
【０００６】
オリジナル画像データとしては（Ｒ、Ｇ、Ｂ）＝（１００、１００、１００）のデータ１と、（Ｒ、Ｇ、Ｂ）＝（０、２５５、２５５）のデータ２とを用いる場合を例にとって説明する。
【０００７】
−パターン１の処理手順−
パターン１の明度補正により、データ１、データ２は以下のように変化する。
データ１：（１１０、１１０、１１０）
データ２：（  １０、２５５、２５５）
【０００８】
明度補正後のデータ２において、Ｇ、Ｂデータに変化が無いのは、２５５が上限の値であるからである。つまりＲ、Ｇ、Ｂのデータに対して補正を施した結果の値が、２５５を越す場合には、これらのデータはオーバーフローし、２５５とされる。同様にして０を下回る場合には０とされる。以上のように、上記例ではデータ２の明度補正結果に補正値が必ずしも反映されていない。これに対してデータ１の明度補正結果には補正値が反映されている。
【０００９】
続いて、パターン１の処理手順におけるカラーバランス補正により、データ１、データ２は以下のように変化する。
データ１：（１１０、１００、１００）  …  結果（Ａ）
データ２：（  １０、２４５、２４５）  …  結果（Ｂ）
【００１０】
−パターン２の処理手順−
パターン２のカラーバランス補正により、データ１、データ２は以下のように変化する。
データ１：（１００、  ９０、  ９０）
データ２：（    ０、２４５、２４５）
【００１１】
続いて、パターン２の処理手順における明度補正により、データ１、データ２は以下のように変化する。
データ１：（１１０、１００、１００）  …  結果（Ａ’）
データ２：（  １０、２５５、２５５）  …  結果（Ｂ’）
【００１２】
パターン１の処理手順による補正結果と、パターン２の処理手順による補正結果とを比較すると、データ１に関しては結果（Ａ）と結果（Ａ’）とは同じである。ところが、データ２に関しては結果（Ｂ）と結果（Ｂ’）とでは異なった補正結果となっている。この理由は、上述したようにパターン１の処理手順における明度補正の過程でデータにオーバーフローを生じたのに対し、パターン２の処理手順におけるカラーバランス補正および明度補正の過程ではオーバーフローを生じなかったためである。
【００１３】
以上では、一つの色空間（以上の場合ではＲＧＢ色空間）の中で画像データに施す補正の手順が異なると、補正値が同じであっても、補正結果は必ずしも同じにはならない例について説明した。このような現象は、相異なる複数の色空間の中で色補正を行う場合に、その色補正の手順が異なっていても生じることがある。つまり、ある画像データに対してＲＧＢ色空間で明度およびカラーバランスの補正を行い、続いてＬ＊ａ＊ｂ＊色空間（以下、これをＬＡＢ色空間と称する）で色相および彩度の補正を行った場合と、同じ画像データに対してＬＡＢ色空間で色相および彩度の補正を行い、続いてＲＧＢ色空間で明度およびカラーバランスの補正を行った場合とで補正結果が異なる場合がある。
【００１４】
これは、以下のような理由による。すなわち、各色２５６階調のＲＧＢデータにより表現されるＲＧＢ色空間の範囲をＬＡＢ色空間に移してみると、ＬＡＢ色空間での表現可能範囲に比べて限られたものとなってしまう。そのため、ある色調の補正を行う際の途中の段階で、ＲＧＢ色空間での画像データに上述したオーバーフローの生じる場合がある。このため、相異なる色空間の中で色補正を行う際に、その色補正の手順が異なっていると色調の補正結果も異なる現象を生じる場合がある。
【００１６】
【課題を解決するための手段】
（１）請求項１に記載のカラー画像処理装置は、画像データの色調を調整する際に参照される複数の調整パラメータを設定するパラメータ設定手段と、パラメータ設定手段により設定された調整パラメータの設定順番によらず常に同じ所定の処理手順に従い、設定された調整パラメータに基づく画像データの処理を行うものであって、かつ第１の色空間における画像データの処理をした後に第１の色空間とは異なる第２の色空間における画像データの処理を行うことにより色調の調整を行う色調調整手段と、パラメータ設定手段により設定された複数の調整パラメータの少なくとも１つを更新するパラメータ更新手段と、色調調整手段による第１の色空間における処理が行われる前の画像データをコピーすることによりコピー画像データを生成する画像データコピー手段とを有し、色調調整手段は、パラメータ更新手段により調整パラメータの更新が行われた場合に更新後の調整パラメータを含む複数の調整パラメータに基づいてコピー画像データを処理することにより、色調調整手段による前回の処理によって得られた処理済画像データに代えて新たな処理済画像データを生成することを特徴とする。
（２）請求項１に記載のカラー画像処理装置は更に、パラメータ設定手段により設定された調整パラメータを記録する第１記録装置を有してもよい。この場合のパラメータ更新手段は、第１記録装置に記録された調整パラメータを更新することもできる。
（３）請求項２に記載のカラー画像処理装置は更に、パラメータ設定手段により設定された調整パラメータを一括して記録または読み出し可能な第２記録装置を有してもよい。
（４）請求項１〜３のいずれか１項に記載のカラー画像処理装置において、色調調整手段は、ひとつの色空間内における画像データの処理の種類数が複数の場合、画像データの処理を常に同じ所定の順番に従って行うことが好ましい。
（５）請求項１に記載のカラー画像処理装置において、色調調整手段は、第１の色空間と第２の色空間のいずれか一方の色空間でカラーバランス処理を行い、他方の色空間で彩度補正処理と色相補正処理の少なくとも一方の処理を行うこともできる。
（６）請求項５に記載のカラー画像処理装置において、色調調整手段は、一方の色空間で明度補正処理を行うことが好ましい。
（７）請求項１に記載のカラー画像処理装置において、色調調整手段は、第１の色空間における画像データを第２の色空間における画像データに変換すると同時にガンマ補正処理を行うこともできる。
（８）請求項１に記載のカラー画像処理装置は更に、色調調整手段により調整された画像データの画像を表示装置に表示させる表示制御手段を有してもよい。
（９）請求項８に記載のカラー画像処理装置において、表示制御手段は、色調調整手段により調整された画像データを表示装置用の色空間の画像データに変換する変換手段を含むことが好ましい。
（１０）請求項１に記載のカラー画像処理装置は更に、画像の印刷を指示する印刷指示手段と、印刷指示手段の指示に基づいて色調調整手段により色調の調整が行われた後の画像データに対応する画像を印刷装置に印刷させる印刷制御手段とを有してもよい。
（１１）本発明によるカラー画像処理プログラムを記録した記録媒体は、画像データを入力する処理と、画像データの色調を調整する際に参照する複数の調整パラメータを設定するパラメータ設定処理と、複数の調整パラメータの設定順番によらず調整パラメータに基づいて第１の色空間において画像データの第１色調調整を行う第１の色調調整処理と、第１の色調調整処理の後に複数の調整パラメータの設定順番によらず調整パラメータに基づいて第１の色空間とは異なる第２の色空間において画像データの第２色調調整を行う第２の色調調整処理と、第１の色空間における第１の色調調整処理を行う前の画像データをコピーすることによりコピー画像データを生成する画像データコピー処理と、パラメータ設定処理で設定した複数の調整パラメータの少なくとも１つを更新するパラメータ更新処理と、をコンピュータ装置に実行させるコンピュータ読み取り可能な記録媒体であって、第１の色調調整処理および第２の色調調整処理は、パラメータ更新した場合に該更新処理後の調整パラメータを含む複数の調整パラメータに基づいてコピー画像データを色調調整処理することにより、前回の色調調整処理によって得られた処理済画像データに代えて新たな処理済画像データを生成することを特徴とする。
（１２）請求項１１に記載のコンピュータ読み取り可能な記録媒体において、パラメータ設定処理で設定した調整パラメータを記録する第１の記録処理を更に実行させることが好ましい。この場合のパラメータ更新処理は、第１の記録処理で記録した調整パラメータを更新させるとよい。
（１３）請求項１２に記載のカラー画像処理プログラムを記録した記録媒体において、パラメータ設定処理により設定した調整パラメータを一括して記録する第２の記録処理または一括して読み出す読み出し処理を更に実行させることが好ましい。
（１４）請求項１１〜１３のいずれか１項に記載のコンピュータ読み取り可能な記録媒体において、第１の色調調整処理および第２の色調調整処理は、色調調整処理の種類数が複数の場合、色調調整処理を常に同じ所定の順番に従って行わせるとよい。
（１５）請求項１１に記載のコンピュータ読み取り可能な記録媒体において、第１の色調調整処理および第２の色調調整処理のいずれか一方の色調調整処理でカラーバランス処理を行い、他方の色調調整処理で彩度補正処理と色相補正処理の少なくとも一方の処理を行わせることが好ましい。
（１６）請求項１５に記載のコンピュータ読み取り可能な記録媒体において、第１の色調調整処理および第２の色調調整処理の一方の色調調整処理で明度補正処理を行わせることが好ましい。
（１７）請求項１１に記載のコンピュータ読み取り可能な記録媒体において、第２の色調調整処理は、第１の色空間における画像データを第２の色空間における画像データに変換すると同時にガンマ補正処理を行わせることが好ましい。
（１８）請求項１１に記載のコンピュータ読み取り可能な記録媒体において、第１および第２の色調調整処理後の画像データの画像を表示装置に表示させる表示制御処理を更に実行させることが好ましい。
（１９）請求項１８に記載のコンピュータ読み取り可能な記録媒体において、表示制御処理は、第１および第２の色調調整処理後の画像データを表示装置用の色空間の画像データに変換する変換処理を含めることが好ましい。
（２０）請求項１１に記載のコンピュータ読み取り可能な記録媒体において、画像の印刷指示を入力する印刷指示入力処理と、印刷指示に基づいて第１および第２の色調調整処理後の画像データに対応する画像を印刷装置に印刷させる印刷制御処理とを更に実行させることが好ましい。
（２１）請求項１０に記載のカラー画像処理装置において、画像データコピー手段は、印刷指示手段の印刷指示に応じて、色調調整手段による第１の色空間における処理が行われる前の画像データをコピーすることにより第２コピー画像データを生成し、色調調整手段は、調整パラメータの更新が行われた場合に更新後の調整パラメータを含む複数の調整パラメータに基づいて第２コピーデータを処理することにより、印刷用画像データを生成し、印刷制御手段は、印刷用画像データに対応する画像を印刷装置に印刷させることが好ましい。
（２２）請求項２０に記載のコンピュータ読み取り可能な記録媒体において、印刷制御処理は、第１の色空間における処理が行われる前の画像データをコピーすることにより第２コピー画像データを生成する生成処理と、調整パラメータの更新が行われた場合に、複数の調整パラメータの設定順番によらず更新後の調整パラメータを含む複数の調整パラメータに基づいて第１の色空間において第２コピー画像データに第１色調調整を行う第３の色調調整処理と、第３の色調調整処理の後に複数の調整パラメータの設定順番によらず更新後の該調整パラメータを含む複数の調整パラメータに基づいて第２の色空間において第２コピー画像データに第２色調調整を行う第４の色調調整処理と、第３の色調調整処理および第４の色調調整処理後の第２コピー画像データに対応する画像を印刷装置に印刷させる印刷処理とを含むことが好ましい。
【００１８】
【発明の実施の形態】
本発明の実施の形態に係るカラー画像処理装置およびこのカラー画像処理装置に接続される機器を図１に示す。カラー画像処理装置は、コンピュータ１と、ディスプレイ７と、外部記憶装置３と、キーボード４と、マウス６とを有する。コンピュータ１には、スキャナ２およびカラープリンタ（以下、プリンタと称する）５が接続される。
【００１９】
コンピュータ１の内部において、ＣＰＵ１１にはＲＯＭ１２およびＲＡＭ１３が接続される。ＲＡＭ１３には、例えばハードディスクドライブなどの外部記憶装置３からロードされる画像処理プログラム１３ｂ、画像データ１３ａ、そしてサンプル画像データ１３ｇなどがストアされる。
【００２０】
画像データ１３ａは、スキャナ２や外部記憶装置３から入力されるものであってもよいし、グラフィックソフト等によりキーボード４やマウス６を用いて作成されるものであってもよい。
【００２１】
画像処理プログラム１３ｂに基づき、ＣＰＵ１１は後述するようにオペレータにより設定される色調や色ずれ補正のためのパラメータ（以下補正パラメータと称する）をもとに画像データ１３ａおよびサンプル画像データ１３ｇに色補正を施してプリントデータ１３ｄおよび表示データ１３ｅを生成する。そしてＣＰＵ１１は、オペレータからの指令に基づいてプリンタ５にプリントデータを出力する。
【００２２】
図１および図２を参照し、図１のＣＰＵ１１により実行されるカラー画像処理プログラムの概略について説明する。
【００２３】
図２は、ＣＰＵ１１により実行されるカラー画像処理プログラム１３ｂ（図１）による画像処理の内容をブロック図で示したものである。
【００２４】
図２の色調設定部２１においてＣＰＵ１１（図１）は、オペレータによる明度補正パラメータδ、カラーバランス補正パラメータδｒ、δｇ、およびδｂ、コントラスト補正パラメータγ（以下、ガンマ補正パラメータγと称する）、色相補正パラメータΔｈ、そして彩度補正パラメータΔｃなどの設定を入力する処理を行う。
【００２５】
マスキング係数算出部２４においてＣＰＵ１１は、マスキング処理に際して用いられるマスキング係数を算出する。マスキング処理とは、プリンタ５による画像記録に際して、Ｙ（イエロー）、Ｍ（マゼンタ）、およびＣ（シアン）の３原色からなる色素（インク）の不要吸収特性や、記録紙とインクとの間で生じるバックトラップ等による印画結果の色の偏りを補正するためのものである。例えば、所定の基準画像データに基づいてプリントした結果、青味が強い場合には、マスキング係数としてこの青味を減じるための値が設定される。マスキング係数としては３×３、３×９、あるいは３×１０の変換マトリクスが用いられる。
【００２６】
マスキング係数算出部２４におけるマスキング係数算出方法について説明する。ＣＰＵ１１は、外部記憶装置３（図１）よりＹＭＣの色空間で表現されるサンプル画像データ（以下、これをＹＭＣサンプルデータと称する）と、プリンタ５の印画特性データとしてのＸＹＺ三刺激値データ（以下、これを印画特性データと称する）とを読み出し、ＲＡＭ１３にストアする。なお、この印画特性データは、プリンタ５のメーカーサイドで計測されるものであり、プリンタ５に添付されてユーザに供給されるものである。この印画特性データは、上述のＹＭＣサンプルデータに基づいてプリンタ５で印画した結果を測色計で計測して処理することにより得られるものである。
【００２７】
マスキング係数算出部２４においてＣＰＵ１１は、以上の処理に続いて上記ＸＹＺ色空間の印画特性データをＬＡＢ色空間の印画特性データ（Ｌ、Ａ、Ｂ）に変換する。そしてＣＰＵ１１は、ＬＡＢ色空間内の印画特性データ（Ｌ、Ａ、Ｂ）に対し、色調設定部２１で入力された補正パラメータのうち、色相補正パラメータΔｈ、彩度補正パラメータΔｃに基づいて補正を行い、（Ｌ、Ａ’、Ｂ’）を算出する。
【００２８】
なお、このときＣＰＵ１１は上述の印画特性データに対し、オペレータにより設定された補正方向とは逆の方向に補正を施す。これは、マスキング処理が、上述したようにＹＭＣサンプルデータと印画特性データとがなるべく一致するように設定されるものであるからである。例えば、オペレータが赤味を増す方向にΔｈおよびΔｃを設定した場合について説明する。オペレータがなぜ赤味を増す方向にΔｈおよびΔｃを設定したかと云えば、それはオペレータが印画結果を見たときに赤味が足りないと感じたからである。ＣＰＵ１１は、いわばオペレータが印画結果をどのように感じたかを（Ｌ、Ａ’、Ｂ’）の印画特性データに反映する。従って、ＣＰＵ１１はＬＡＢ空間内の印画特性データに対して赤味を減じる方向に補正を行う。一方、後述するマスキング係数はプリントの仕上がりをニュートラルに戻すように決定される。この結果、マスキング係数は、結果として赤味を増す方向の値となる。
【００２９】
引き続き、マスキング係数算出部２４においてＣＰＵ１１は、ＬＡＢ空間内で上述のように補正された（Ｌ、Ａ’、Ｂ’）の印画特性データを再度ＸＹＺ色空間の印画特性データ（Ｘ’、Ｙ、Ｚ’）に変換する。続いてＣＰＵ１１は、印画特性データ（Ｘ’、Ｙ、Ｚ’）をモニタ画像データ（Ｒ０、Ｇ０、Ｂ０）に変換する。具体的には、ＣＰＵ１１が３×３のマトリクスを（Ｘ’、Ｙ、Ｚ’）に掛けることで、（Ｒ０、Ｇ０、Ｂ０）が求められる。この３×３のマトリクスはモニタの蛍光体の特性および白基準から予め定められている。次にＣＰＵ１１は、モニタ画像データ（Ｒ０、Ｇ０、Ｂ０）を濃度データ［Ｊ０］＝（ＤＲ０、ＤＧ０、ＤＢ０）に変換する。具体的には、ＣＰＵ１１が以下の演算を行う。
【数１】
ＤＲ０＝−ｌｏｇ（Ｒ０／２５５）
ＤＧ０＝−ｌｏｇ（Ｇ０／２５５）
ＤＢ０＝−ｌｏｇ（Ｂ０／２５５）
【００３０】
次にＣＰＵ１１はマスキング係数を算出する。マスキング係数算出の原理は次の通りである。上述で求めた［Ｊ０］に対して適当なマトリクス［Ａ］を掛け算して［Ｉ０］＝（Ｙ0、Ｍ0、Ｃ0）を得る。この［Ｉ０］と元のＹＭＣサンプルデータ［Ｉ］との誤差が最小となるようなマトリクス［Ａ］を求めることにより、マスキング係数が求められる。
【００３１】
マトリクス［Ａ］の算出方法について具体的に説明すると、ＣＰＵ１１は以下の処理を実行する。すなわち、ＣＰＵ１１は適当なマトリクス［Ａ］によって得られた［Ｉ０］と［Ｉ］とから、以下の式に基づいて、Σ（Ｉ０−Ｉ）２を求める。
【数２】
Σ（Ｉ０−Ｉ）２＝（Ｙ0−Ｙ1）２＋（Ｙ0−Ｙ2）２＋  …  ＋（Ｙ0−Ｙm）２＋（Ｍ0−Ｍ1）２＋（Ｍ0−Ｍ2）２＋  …  ＋（Ｍ0−Ｍm）２＋（Ｃ0−Ｃ1）２＋（Ｃ0−Ｃ2）２＋  …  ＋（Ｃ0−Ｃm）２
（但し、mはサンプルデータの数）
【００３２】
このΣ（Ｉ０−Ｉ）２が最小となるような［Ａ］を、ＣＰＵ１１はマスキング係数として設定する。つまり、上述のように［Ｊ０］のデータにおいて赤味が減じられていた場合、マスキング係数［Ａ］としては赤味を増す方向に値が決まる。
【００３３】
マスキング係数［Ａ］は、マスキング係数算出部２４においてＣＰＵ１１により以上のように算出される。
【００３４】
明度・カラーバランス補正処理部２２においてＣＰＵ１１は、ＲＧＢ色空間内の画像データ１３ａあるいはサンプル画像データ１３ｇ（サンプル画像データ１３ｇの詳細については後述）をＲＡＭ１３のワークエリア１３ｆ（図１）上にコピーする。そしてＣＰＵ１１は、色調設定部２１で入力された明度補正パラメータδ、およびカラーバランス補正パラメータδｒ、δｇ、およびδｂに基づき、以下の補正を行う。
【００３５】
明度・カラーバランス補正処理部２２においてＣＰＵ１１は、ワークエリア１３ｆ上の画像データ（Ｒ、Ｇ、Ｂ）に対して先ず明度補正を行い、次いでカラーバランス補正を行う。すなわち、ワークエリア１３ｆ上の画像データに対して以下に示す演算を順次行う。
【数３】
0004874451.tif 000002
【００３６】
ＣＰＵ１１はガンマ補正処理部２３において、色調設定部２１で入力されたコントラスト補正パラメータγの入力結果に基づいてワークエリア１３ｆ上の画像データ（Ｒ”、Ｇ”、Ｂ”）に対してガンマ補正を行う。すなわち、ワークエリア１３ｆ上の画像データに対して以下に示す演算を行う。
【数４】
ＤＲ＝−ｌｏｇ（Ｒ”／２５５）×γ
ＤＧ＝−ｌｏｇ（Ｇ”／２５５）×γ
ＤＢ＝−ｌｏｇ（Ｂ”／２５５）×γ
【００３７】
上記の演算により、ワークエリア１３ｆ上の画像データは濃度空間内の画像データ（ＤＲ、ＤＧ、ＤＢ）に変換される。
【００３８】
ＣＰＵ１１はマスキング処理部２５において、先述のマスキング係数算出部２４で算出したマスキング係数を、上記濃度空間内の画像データ（ＤＲ、ＤＧ、ＤＢ）に乗じる。すなわち、ワークエリア１３ｆ上の画像データに対して以下に示す演算を行う。
【数５】
0004874451.tif 000003
【００３９】
上記の演算により、ワークエリア１３ｆ上の画像データ（ＤＲ、ＤＧ、ＤＢ）はＹＭＣ色空間内の画像データに変換される。このＹＭＣ色空間内の画像データがプリンタ５に出力するプリントデータ１３ｄとなる。
【００４０】
ＣＰＵ１１は、上述のようにして得られるＹＭＣ色空間内の画像データをもとに、逆変換部２６で以下に示す演算を行い、ディスプレイ表示用のデータ（以下、表示データと称する）１４ｅを生成する。
【数６】
0004874451.tif 000004
【００４１】
ＣＰＵ１１は、上述の表示用データ１４ｅに基づいてディスプレイ７にサンプル画像を表示する。これにより、色調設定部２１で入力した補正パラメータに基づく色補正結果がディスプレイ７の表示に反映される。従って、オペレータは色調設定内容の変更に伴う画像の色補正結果をディスプレイ７で確認することができる。このとき、表示用データ１４ｅはサンプル画像データ１３ｇから生成されるものであるが、これに代えて画像データ１３ａから生成されるものであってもよい。
【００４２】
以上に説明した画像処理プログラム１３ｂは、レタッチソフトウエアに適用してもよいし、プリンタドライバプログラムに適用してもよい。また、スキャナ２（図１）で画像を入力する際に用いられるスキャナドライバプログラムに適用してもよい。以下、この画像処理プログラム１３ｂをプリンタドライバプログラムに適用する例について図２〜図４を参照して説明する。
【００４３】
図３は、ＣＰＵ１１（図１）により実行される画像処理プログラムをプリンタドライバに適用した場合のフローチャートである。この画像処理プログラムは、オペレータが所定のアプリケーションソフトを操作して、印刷の指令を発したときにＣＰＵ１１により実行されるものである。また、図４は、図３に示すプログラムが実行されるのに伴い、ディスプレイ７（図１）に表示される画面を説明する図である。オペレータはマウス６（図１）を操作して図４に示すポインタ３０の表示を画面上の所望の位置に動かし、マウス６の左ボタン６Ｌをクリックすることにより各種の設定を行うことができる。なお、以下の説明において、オペレータがポインタ３０を、例えばＯＫボタン３３の表示位置まで移動させて左ボタン６をクリックする動作を単に「ＯＫボタン３３をクリックする」と表現する。また、オペレータがポインタ３０を、例えばスライダ３１ａの表示位置まで移動させて、左ボタン６Ｌを押し下げたままマウス６を前後左右方向に動かす動作を単に「スライダ３１ａをドラッグする」と表現する。
【００４４】
Ｓ１０１においてＣＰＵ１１は、ディスプレイ７へ図４に示す画面を表示する。図４に示す画面上でオペレータは、印刷の向き、用紙設定、画質設定、名刺印刷そして分割印刷等に関するメニュー画面を選択することができる。図４では画質設定に関するメニュー画面が選択されている様子を示す。
【００４５】
Ｓ１０２においてＣＰＵ１１は、オペレータによって他の設定メニュー、すなわち画質設定以外のメニューが選択されていないかを判定する。この判定結果が肯定されるとＣＰＵ１１は、オペレータにより選択されたメニューに従って他の設定プログラムに分岐する。そしてＣＰＵ１１は他のメニュー画面を表示し、そのメニュー画面に対応するプログラムを実行する。一方、Ｓ１０２の判定結果が否定されると、ＣＰＵ１１はＳ１０４に進む。
【００４６】
Ｓ１０４においてＣＰＵ１１は、オペレータによりプリンタドライバプログラムの実行中止指令が発せられているかどうかを判定する。すなわち、図４の画面において閉じボタン３５がクリックされているかどうかを判定する。Ｓ１０４での判定が肯定されるとＣＰＵ１１はＳ１５０に分岐してプログラム終了の処理を行い、元のアプリケーションプログラムに処理を移す。一方、Ｓ１０４での判定が否定されると、ＣＰＵ１１はＳ１０５に進む。
【００４７】
Ｓ１０５においてＣＰＵ１１は、プリント実行指令が発せられているかどうかを判定する。すなわち、図４の画面においてＯＫボタン３３がクリックされているかどうかを判定する。Ｓ１０５での判定が否定されるとＣＰＵ１１はＳ１０６に進む。なお、Ｓ１０５での判定が肯定された場合のＣＰＵ１１による処理は後述する。
【００４８】
Ｓ１０６においてＣＰＵ１１は、後述するようにオペレータにより設定される補正パラメータを記録する指令が発せられているかどうかを判定する。すなわち、図４の「調整値の保存」ボタン３６がクリックされているかどうかを判定する。Ｓ１０６での判定が肯定されるとＣＰＵ１１はＳ１０７に分岐し、複数の補正パラメータ（補正パラメータの詳細については後述）を一括して外部記憶装置３（図１）に記録し、Ｓ１０８に進む。一方、Ｓ１０６における判定が否定されるとＣＰＵ１１は何も行わずにＳ１０８に進む。
【００４９】
Ｓ１０８においてＣＰＵ１１は、外部記憶装置３に保存されている補正パラメータを読み出す指令がオペレータにより発せられているかどうかを判定する。すなわち、図４の「調整値の読み取り」ボタン３７がクリックされているかどうかを判定する。Ｓ１０８での判定が肯定されるとＣＰＵ１１はＳ１０９に分岐し、Ｓ１０７で保存された補正パラメータを外部記憶装置３から読み出してＲＡＭ１３のワークエリア１３ｆに記録し、Ｓ１２５に進む。一方、Ｓ１０８での判定が否定されるとＣＰＵ１１はＳ１１０に進む。
【００５０】
Ｓ１１０においてＣＰＵ１１は、オペレータによる補正パラメータ修正指示の有無を判定する。すなわち、図４に示す画面の、カラー調整ウインドウ３８内の設定に関し、オペレータによる変更操作の有無を判定する（変更操作の詳細については後述）。Ｓ１１０での判定が肯定されると、ＣＰＵ１１はオペレータによる変更操作の内容に応じてＳ１２０〜Ｓ１２４のいずれかに分岐する。一方、Ｓ１１０での判定が否定されるとＣＰＵ１１はＳ１０２に戻り、上述した動作を繰り返す。
【００５１】
ＣＰＵ１１によるＳ１２０〜Ｓ１２４の処理について説明する。図４の画面において、オペレータはマウス６（図１）を用いてポインタ３０（図４）を移動させ、スライダ３１ａを左右にドラッグする。オペレータによる以上の操作がなされると、ＣＰＵ１１はＳ１２０に分岐する。ＣＰＵ１１は、スライダ３１ａのドラッグ量に応じてガンマ補正パラメータの表示ウインドウ３２ａの表示データを変化させる。
【００５２】
あるいは、オペレータがガンマ補正パラメータの表示ウインドウ３２ａをクリックすることによっても、ＣＰＵ１１はＳ１２０に分岐する。この場合、ＣＰＵ１１は、オペレータによりキーボード４（図１）から入力される数値をガンマ補正パラメータの表示ウインドウ３２ａに表示する。
そして、ＣＰＵ１１はオペレータによって入力されたパラメータをＲＡＭ１３のワークエリア１３ｆに記録する。既にワークエリア１３ｆにパラメータが記録されている場合、ＣＰＵ１１はＳ１２０の入力に基づきパラメータを更新する。すなわち、既にワークエリア１３ｆに記録されているパラメータと、Ｓ１２０により入力されたパラメータとが、ワークエリア１３ｆに記録される。
【００５３】
ＣＰＵ１１はまた、上述したのと同様にしてオペレータによるスライダ３１ｂ〜３１ｅのうちのいずれかのスライダのドラッグ、あるいは明度パラメータ表示ウインドウ３２ｂ、彩度パラメータ表示ウインドウ３２ｃ、色相パラメータ表示ウインドウ３２ｄ、またはカラーバランスパラメータ表示ウインドウ３２ｅのクリックに応じてＳ１２１〜Ｓ１２４のうちのいずれかに分岐する。ＣＰＵ１１による以上に説明したＳ１２０〜Ｓ１２４の処理が図２の色調設定部２１に相当する。
【００５４】
ＣＰＵ１１は、Ｓ１２０〜Ｓ１２４の何れかの処理を終えるとＳ１２５に進む。
【００５５】
Ｓ１２５においてＣＰＵ１１はサンプル画像データ１３ｇ（図１）をワークエリア１３ｆにコピーする。次にＣＰＵ１１は、ワークエリア１３ｆに記録されている明度パラメータδに基づき、ワークエリア１３ｆ上にコピーされたサンプル画像データ１３ｇ（図１）に対して明度補正処理を行い、ワークエリア１３ｆ（図１）にストアする。このときＣＰＵ１１は、元々のサンプル画像データ１３ｇそのものには変更を加えずに保持する。なお、ワークエリア１３ｆに明度パラメータδが記録されていない場合には、ＣＰＵ１１により明度パラメータδとしてデフォルト値がセットされる。これは以下に説明するＳ１２６〜Ｓ１２８においても同様である。
【００５６】
Ｓ１２６においてＣＰＵ１１は、ワークエリア１３ｆに記録されているカラーバランスパラメータδｒ、δｇおよびδｂに基づき、Ｓ１２５でワークエリア１３ｆにストアされていたサンプル画像データに対してカラーバランス処理を行う。なお、ワークエリア１３ｆにカラーバランスパラメータδｒ、δｇ、δｂが記録されていない場合には、ＣＰＵ１１はカラーバランスパラメータδｒ、δｇ、δｂとしてデフォルト値をセットする。以上、Ｓ１２５およびＳ１２６におけるＣＰＵ１１の処理が図２の明度・カラーバランス処理部２２に相当する。以上のＳ１２５およびＳ１２６における処理はＲＧＢ色空間上で行われる。
【００５７】
Ｓ１２７においてＣＰＵ１１は、ワークエリア１３ｆに記録されているガンマ補正パラメータγに基づき、Ｓ１２６でカラーバランス処理されたサンプル画像データに対してガンマ補正処理を行う。なお、ワークエリア１３ｆにガンマ補正パラメータγが記録されていない場合には、ＣＰＵ１１はガンマ補正パラメータγとしてデフォルト値をセットする。Ｓ１２７におけるＣＰＵ１１の処理が図２のガンマ補正処理部２３に相当する。Ｓ１２７におけるＣＰＵ１１の処理により、ＲＧＢ色空間上の画像データは濃度空間上の画像データに変換される。
【００５８】
Ｓ１２８においてＣＰＵ１１は、図２を参照して既に説明した方法に基づいてマスキング係数を算出する。このときＣＰＵ１１は、ワークエリア１３ｆに記録されている彩度補正パラメータΔｃに基づいてマスキング係数を算出する。ＣＰＵ１１は同時に、ワークエリア１３ｆに記録されている色相パラメータΔｈに基づいてマスキング係数を算出する。なお、ワークエリア１３ｆに彩度補正パラメータΔｃや色相パラメータΔｈが記録されていない場合には、ＣＰＵ１１は彩度補正パラメータΔｃや色相パラメータΔｈとしてデフォルト値をセットして、マスキング係数を算出する。以上、Ｓ１２８におけるＣＰＵ１１の処理が図２のマスキング係数算出部２４に相当する。
【００５９】
Ｓ１２９においてＣＰＵ１１は、Ｓ１２７でガンマ補正処理された画像データに対して上記マスキング係数を乗じる。このＳ１２９におけるＣＰＵ１１の処理が、図２のマスキング処理部２５に相当する。Ｓ１２９におけるＣＰＵ１１の処理により、濃度空間上の画像データはＹＭＣ色空間上の画像データに変換される。
【００６０】
ＣＰＵ１１による以上のＳ１２５〜Ｓ１２９の処理により、上述した各種補正パラメータに基づく色補正がなされたＹＭＣデータが生成される。
【００６１】
Ｓ１３０においてＣＰＵ１１は、上述のＹＭＣデータに逆変換係数を乗じ、濃度−輝度変換、そしてガンマ補正を施してディスプレイ７に表示するための表示データ１３ｅを生成する。そしてＳ１３１においてＣＰＵ１１は上記表示データ１３ｅに基づいて図４のサンプル画像表示ウインドウ３４にサンプル画像を表示する。すなわち、オペレータは、サンプル画像表示ウインドウ３４に表示される画像によって色補正結果を確認することができる。オペレータは、サンプル画像表示ウインドウ３４に表示される画像の色調を確認しながら所望の色補正結果が得られるまで上述の設定を繰り返す。これに応じてＣＰＵ１１も新たにワークエリア１３ｆにコピーされたサンプル画像データ１３ｇに対して、上述した処理を繰り返し行う。
【００６２】
ＣＰＵ１１による以上の処理により、ガンマ補正パラメータγ、明度補正パラメータδ、彩度補正パラメータΔｃ、色相補正パラメータΔｈそしてカラーバランス補正パラメータδｒ、δｇおよびδｂに関して、オペレータによる設定順番によらず、常に一定の手順で色補正の処理がなされる。また、外部記憶装置３に保存された補正パラメータを読み出した後に、この補正パラメータに対してオペレータによりさらに変更が加えた場合であっても、色補正前のオリジナルの画像データに対して一定の手順で色補正の処理がなされる。これにより、上述したそれぞれの補正パラメータの設定量に対し、一義的に対応した色補正結果をサンプル画像に反映させることができる。
【００６３】
ＣＰＵ１１は、Ｓ１０５で図４に示す画面においてＯＫボタン３３がクリックされたと判定すると、Ｓ１４０に分岐する。以下、Ｓ１４０〜Ｓ１４４におけるＣＰＵ１１の処理が、画像データ１３ａ（図１）に対する色補正およびプリンタ５へのプリントデータ出力処理である。
【００６４】
Ｓ１４０においてＣＰＵ１１は画像データ１３ａ（図１）をワークエリア１３ｆにコピーする。次にＣＰＵ１１は、Ｓ１２１における明度パラメータδの設定値入力結果あるいはＳ１０９における外部記憶装置３からのパラメータ読み出し結果に基づき、ワークエリア１３ｆ上にコピーされた画像データ１３ａに対して明度補正処理を行い、ワークエリア１３ｆ（図１）にストアする。このときＣＰＵ１１は、元々の画像データ１３ａそのものには変更を加えずに保管する。
【００６５】
Ｓ１４１においてＣＰＵ１１は、Ｓ１２４におけるカラーバランスパラメータγｒ、γｇ、γｂの設定値入力結果、あるいはＳ１０９における外部記憶装置３からのパラメータ読み出し結果に基づき、Ｓ１４０でワークエリア１３ｆにストアされた画像データに対してカラーバランス処理を行う。以上、Ｓ１４０およびＳ１４１におけるＣＰＵ１１の処理が図２の明度・カラーバランス処理部２２に相当する。これらＳ１４０およびＳ１４１における処理はＲＧＢ色空間上で行われる。
【００６６】
Ｓ１４２においてＣＰＵ１１は、Ｓ１２０におけるガンマ補正パラメータγの設定値入力結果、あるいはＳ１０９における外部記憶装置３からのパラメータ読み出し結果に基づき、Ｓ１４１でカラーバランス処理された画像データに対してガンマ補正処理を行う。Ｓ１４２におけるＣＰＵ１１の処理が図２のガンマ補正処理部２３に相当する。Ｓ１４２におけるＣＰＵ１１の処理により、ＲＧＢ色空間上の画像データは濃度空間上の画像データに変換される。
【００６７】
Ｓ１４３においてＣＰＵ１１は、Ｓ１４２でガンマ補正処理された画像データに対して、Ｓ１２８で算出されたマスキング係数を乗じる。このＳ１４３におけるＣＰＵ１１の処理が、図２のマスキング処理部２５に相当する。Ｓ１４３におけるＣＰＵ１１の処理により、濃度空間上の画像データはＹＭＣ色空間上の画像データに変換される。
【００６８】
Ｓ１４４においてＣＰＵ１１は、Ｓ１４３でマスキング処理された画像データをプリンタ５に出力する。プリンタ５への画像データの出力を完了するとＣＰＵ１１は、Ｓ１５０に進み、プリンタドライバの処理を終える。
【００６９】
上述の補正パラメータは、一括して外部記憶装置３に記録することができ、逆に外部記憶装置３からの読み出しもできる。従って、後になって再び同じ画像のプリントを得ようとする場合に、外部記憶装置３から補正パラメータを読み出すだけで容易に同じ色調のプリントを得ることができる。
【００７１】
【発明の効果】
以上に説明したように、
（１）本発明によるカラー画像処理装置では、色調調整後に色調調整用の調整パラメータの更新が行われた場合であっても、色調調整用の複数の調整パラメータの設定値と、これら調整パラメータに基づく色調調整とを常に一義的に対応させることができる。
（２）本発明によるカラー画像処理プログラムを記録した記録媒体では、色調調整後に色調調整用の調整パラメータの更新処理をした場合であっても、色調調整用の複数の調整パラメータの設定値と、これら調整パラメータに基づく色調調整とを常に一義的に対応させるカラー画像処理をコンピュータ装置に行わせることができる。
【図面の簡単な説明】
【図１】本発明の実施の形態に係るカラー画像処理装置の概略的構成およびこのカラー画像処理装置に接続される機器を説明するブロック図。
【図２】カラー画像処理装置内部での画像処理の流れを説明する図。
【図３】カラー画像処理装置内部のＣＰＵにより実行される画像処理プログラムの処理内容を説明するフローチャート。
【図４】カラー画像処理プログラムの実行に伴い、ディスプレイに表示される調整パラメータ設定画面の例を示す図。
【図５】従来の技術に係るカラー画像処理装置において、画像処理の順番を変えることで処理結果が異なってしまう例を説明する図。
【符号の説明】
１      コンピュータ
３      外部記憶装置
５      プリンタ
６      マウス
７      ディスプレイ
１１      ＣＰＵ
１２      ＲＯＭ
１３      ＲＡＭ
１３ａ    画像データ
１３ｄ    プリントデータ
１３ｅ    表示データ
１３ｆ    ワークエリア
１３ｇ    サンプル画像データ
２１      色調設定部
２２      明度・カラーバランス補正処理部
２３      ガンマ補正処理部
２４      マスキング係数算出部
２５      マスキング処理部
２６      逆変換部
【図１】
0004874451.tif 000005
【図２】
0004874451.tif 000006
【図３】
0004874451.tif 000007
【図４】
0004874451.tif 000008
【図５】
0004874451.tif 000009